(57)【要約】【課題】  宝飾部材（ルビー等）を用いた装飾品（指輪等）の美的効果を高める。【解決手段】  指輪１００の宝飾部材１０１であるルビーの裏面に反射型偏光板１０２を設け、ルビーと反射型偏光板１０２とは辺縁部を透明の接着剤１０３を用いて接着する。また、反射型偏光板１０２を接着剤１０３でルビーと接合した宝飾部１１０は、身装部であるリング１２２の頂上に設けた石座１２１に固定する。また、反射型偏光板１０２の表面には梨地状の凹凸模様１０２ａを設ける。ルビーを透過した光は反射型偏光板１０２に入射し、入射光の一部は反射型偏光板１０２から拡散反射光が出射する。そして、再びルビーを透過して外に放射される。その結果、ルビーの色彩に明るく鮮やかな色彩が現れ、ルビーの美しさが一層高められる。【選択図】    図１
2008125876.tif 000002
【特許請求の範囲】
【請求項１】
少なくとも１つの宝飾部材からなり、前記宝飾部材に、第１の装飾部材、反射型偏光板、反射板の中の少なくとも１つを設けたことを特徴とする装飾品。
【請求項２】
前記第１の装飾部材、反射型偏光板または反射板は、前記宝飾部材の裏面側に設けられていることを特徴とする請求項１に記載の装飾品。
【請求項３】
前記反射型偏光板または反射板と前記宝飾部材との間に第１の装飾部材を設けたことを特徴とする請求項１又は２に記載の装飾品。
【請求項４】
前記宝飾部材の表面に第２の装飾部材を設けたことを特徴とする請求項１乃至３のいずれかに記載の装飾品。
【請求項５】
前記宝飾部材は、琥珀、サファイヤ、オパール、ヒスイ、ルビー等の宝飾部材の少なくとも１種からなることを特徴とする請求項１乃至４のいずれかに記載の装飾品。
【請求項６】
前記反射型偏光板または反射板は、前記宝飾部材に向いた面側に凹凸模様を設けたことを特徴とする請求項１乃至３のいずれかに記載の装飾品。
【請求項７】
前記第１の装飾部材は、金箔、銀箔、貝、ラメ、マニキュア、ホログラム等の装飾部材の少なくとも１種からなることを特徴とする請求項１乃至３のいずれかに記載の装飾品。
【請求項８】
前記宝飾部材の表面に設けた第２の装飾部材は、蒔絵、螺鈿、木象嵌、金箔、銀箔、貝、ラメ、マニキュア、ホログラム等の装飾部材の少なくとも１種からなることを特徴とする請求項４に記載の装飾品。
【請求項９】
前記宝飾部材、反射型偏光板、反射板は、石座に固定されていることを特徴とする請求項１乃至８のいずれかに記載の装飾品。
【発明の詳細な説明】
【技術分野】
【０００１】
本発明は、ルビー、琥珀等の宝飾部材を用いた装飾品に関する。
【背景技術】
【０００２】
人類が古くから、装飾品に関心を抱いていたことが遺跡の発掘によって裏付けられている。装飾品の装飾性は、当初は、もっぱら素材のもつ美的要素に頼ってきたが、文明が進歩するに連れて、同じ素材を用いながら、加工方法を工夫して高級感や、より高い装飾性を引き出してきた。本発明は、琥珀等の宝飾品が元来秘めていた高級感のある装飾性を、現在の先端技術を利用して、より多く引き出す為の宝飾品加工技術である。
【０００３】
装飾品の装飾性を高め、且つ本発明に近い背景技術としては、下記の特許文献１に示された技術がある。
【０００４】
【特許文献１】特許出願公開  特開平１０−３５１９７号公報
【０００５】
以下、本発明の背景技術を、特許文献１に基づき、図７を用いながら説明する。尚、図７（ａ）は特許文献１で開示された虹彩効果を生じる透明体１の斜視図、図７（ｂ）は図７（ａ）の透明体に用いた平面体の断面図、図７（ｃ）は図７（ａ）の透明体に用いた保護カバーの断面図、図７（ｄ）は図７（ａ）の透明体装飾品の全体断面図、図７（ｅ）は特許文献１で開示された従来の加工方法により製作した透明装飾品の斜視図である。
【０００６】
図７（ａ）〜図７（ｄ）に示した様に、特許文献１で開示された装飾品の主要部分になる透明体１は、クリスタルガラスや透明合成樹脂等の透光性の透明素材から成る。そして、この透明素材を半球体に形成し、更に表面を切削研磨して、多面形状のカット面２で覆っている。また、平面体５は、図７（ｂ）で示した様に、上面に虹彩膜６が、中央に鏡面膜７が、下面はクリスタルガラス、又は透明の耐熱樹脂から成るプレート素材８で製作されているが、平面体５はフィルム状の素材にイオンビームを照射してから切断した物の場合もある。そして、保持カバー１２の凹部１３に、平面体５を格納して、また、透明体１の底面に接着剤１０を塗布しておいてから、透明体１の底面と立上げ部３を嵌合接着して平面体５を透明体１に固定する。特許文献１によると、この様な構成をした透明装飾品は、透明体１の上部カット面２ａより入射した光が、透明体１の底面を透過し、平面体５の虹彩膜６、および鏡面膜７で屈折、分散、反射して虹彩色を帯びて、上部カット面２ａ全体に印影される。従って、特許文献１で開示された技術は、擬似宝石等のアクセサリーや装飾性が必要な香水容器、置物等に利用できる旨が記されている。尚、図７（ｅ）で示した透明装飾品は、透明体３１の底面３２ａに直接イオンビーム加工を施し、虹彩膜や反射膜から成る反射膜層３５を貼付けして、装飾品の美的効果を高めたものである。
【発明の開示】
【発明が解決しようとする課題】
【０００７】
特許文献１で説明した背景技術は、クリスタルガラスや透明合成樹脂から成る透明装飾品を対象にして、擬似宝石等のアクセサリーや、装飾性が必要な香水容器、置物等の装飾性を高めるために開発された技術であり、イオンビーム加工された虹彩を発する虹彩膜と、入射光を反射する反射膜を製作しておいてから、これをクリスタルガラス等の透明体の底面に装着している。この為、虹彩膜や、反射膜をイオンビーム加工した平面体を予め製作しておく必要があり、また、虹彩膜や、反射膜の製作には、イオンビーム加工が可能な材質のみを利用することが可能であり、材料選択上の制約が存在した。また、出来上がった装飾品は、無色な透明体の美的効果をあげる為に、虹彩膜や反射膜を利用しただけであ
り、クリスタル等が本来有する色彩等の美しさを引き出すものでは無い為、高級感に欠けることは否めなかった。
【課題を解決するための手段】
【０００８】
本発明は上記課題を解決するために成されたもので、宝飾部材が本来有している美しさや綺麗さをより高めることを目的とするものである。そして、目的を達成する手段として、本発明の請求項１記載に係わる装飾品の発明は、少なくとも１つの宝飾部材に、第１の装飾部材、反射型偏光板、反射板の中の少なくとも１つを設けたことを特徴とするものである。
【０００９】
また、本発明の請求項２記載に係わる装飾品の発明は、前記第１の装飾部材、反射型偏光板または反射板は、前記宝飾部材の裏面側に設けられていることを特徴とするものである。
【００１０】
また、本発明の請求項３記載に係わる装飾品の発明は、前記反射型偏光板または反射板と前記宝飾部材との間に第１の装飾部材を設けたことを特徴とするものである。
【００１１】
また、本発明の請求項４記載に係わる装飾品の発明は、前記宝飾部材の表面に第２の装飾部材を設けたことを特徴とするものである。
【００１２】
また、本発明の請求項５記載に係わる装飾品の発明は、前記宝飾部材は、琥珀、サファイヤ、オパール、ヒスイ、ルビー等の宝飾部材の少なくとも１種からなることを特徴とするものである。
【００１３】
また、本発明の請求項６記載に係わる装飾品の発明は、前記反射型偏光板または反射板は、前記宝飾部材に向いた面側に凹凸模様を設けたことを特徴とするものである。
【００１４】
また、本発明の請求項７記載に係わる装飾品の発明は、前記第１の装飾部材は、金箔、銀箔、貝、ラメ、マニキュア、ホログラム等の装飾部材の少なくとも１種からなることを特徴とするものである。
【００１５】
また、本発明の請求項８記載に係わる装飾品の発明は、前記宝飾部材の表面に設けた第２の装飾部材は、蒔絵、螺鈿、木象嵌、金箔、銀箔、貝、ラメ、マニキュア、ホログラム等の装飾部材の少なくとも１種からなることを特徴とするものである。
【００１６】
また、本発明の請求項９記載に係わる装飾品の発明は、前記宝飾部材、反射型偏光板、反射板は石座に固定されていることを特徴とするものである。
【発明の効果】
【００１７】
本発明によれば以下の発明効果が得られる。宝飾部材に第１の装飾部材を設けることにより、宝飾部材自体の美的効果に装飾部材からの装飾的効果が加わり、装飾品のバリエーションが豊富になると共に、装飾品の装飾性が一層高められ高級感が更に向上する。また、反射型偏光板は約５０％の光を透過して約５０％の光を反射する特性を持つ。この特性を利用して、宝飾部材と反射型偏光板で装飾品を構成すると、反射型偏光板の高い反射率の反射光の作用を受けて宝飾部材が明るくなる。特に、宝飾部材の裏面側に反射型偏光板を配設すると、宝飾部材を透過した光の約５０％の光が裏面側に配設した反射型偏光板から反射され、再び宝飾部材を透過して観察者側に出射される。このため、宝飾部材に明るさが増し、宝飾部材が元来持っている美しさや微妙な色彩がより鮮明に現れてきて、綺麗さや美しさがより一層引き立って視認されるようになる。
また、反射板は入射光の約６０％〜約９０％の光を反射する特性を持つ。この特性を利
用して、宝飾部材と反射板で装飾品を構成すると、反射板の高い反射率の反射光の作用を受けて宝飾部材が非常に明るくなる。特に、宝飾部材の裏面側に反射板を設けることにより、宝飾部材をよりキラキラ輝かせることが出来、宝飾部材自体の美的効果をより一層高めることができ、装飾品の装飾性が一層高められ高級感が更に向上する。また、宝飾部材の裏面に第１の装飾部材と反射型偏光板と反射板を同一平面上に配置した場合に、宝飾部材を透過した光が第１の装飾部材と反射型偏光板と反射板で異なる反射率で反射され、再び宝飾部材を透過して放射されるので、宝飾部材の表面でキラキラと輝く強さや明るさに異なる部分ができると共に、宝飾部材自体の模様、色彩の見え方に変化が生じ、より一層美的効果が向上する。
【００１８】
また、反射型偏光板と宝飾部材との間に第１の装飾部材を設けることにより、宝飾部材自体の美的効果に装飾部材からの装飾的効果が加わり、装飾品のバリエーションが豊富になる。また、宝飾部材と第１の装飾部材とを透過した光の約５０％の光が反射型偏光板から反射されて再び第１の装飾部材と宝飾部材を透過して放射されるので、宝飾部材や第１の装飾部材が明るくなり、その色彩や美しさに鮮やかさが現れてくる。そして、装飾品の美的効果が一層高められる。また、または反射板と宝飾部材との間に第１の装飾部材を設けることにより、宝飾部材自体の美的効果に装飾部材からの装飾的効果が加わり、装飾品のバリエーションが豊富になる。また、宝飾部材と第１の装飾部材とを透過した光の約６０％〜約９０％の光が反射板から反射されて再び第１の装飾部材と宝飾部材を透過して放射されるので、宝飾部材や第１の装飾部材が明るくキラキラと輝き、その色彩や美しさに鮮やかさが現れてくる。そして、装飾品の美的効果が一層高められる。
【００１９】
また、宝飾部材の表面に第２の装飾部材を設けることにより、装飾品のバリエーションが豊富になる。また、反射型偏光板からの反射光により、宝飾部材と第２の装飾部材に明るさが現れて色彩や美しさに鮮明さが現れてくる。そして、装飾品の装飾性が一層高められる。
【００２０】
また、宝飾部材としては琥珀やサファイヤ、オパール、ヒスイ、ルビー等を用いる。これらの宝飾部材は何れも光の透過性に優れたカラーストーンであり、また、独特の綺麗な色彩を持つ。反射型偏光板からの反射光によって綺麗な色彩がより鮮やかに現れてくる。装飾品の宝飾部材としての美しさをより効果的に高めることができる。
【００２１】
また、反射型偏光板の宝飾部材と対面する面側に凹凸模様を設けると、反射型偏光板からの反射光が拡散反射する。そして、宝飾部材の綺麗な色彩の明るさを高めて、宝飾部材の色彩や美しさを一層高める効果を生む。
【００２２】
また、第１の装飾部材として金箔や銀箔、貝、ラメ、マニキュア、ホログラムを用いると、装飾のバリエーションを豊かにし、美的効果、装飾的効果を一層高めることができる。
【００２３】
また、宝飾部材の表面に設ける第２の装飾部材に、日本古来の伝統工芸である漆と金粉、銀粉を用いた蒔絵や漆面に貝などを貼付けての螺鈿などを形成すると、落ち着きと深みのある伝統工芸的な色彩が付加されて、和風独特の装飾性を付加した装飾品を得ることができる。また、木像嵌や金箔、銀箔、ラメ、マニキュア、ホログラムなどの装飾部材を形成することでも装飾性を高めると共に、装飾バリエーションを豊かにすることができる。
【００２４】
また、宝飾部材を反射型偏光板と一緒に石座に固定することにより、石座の持つ美的効果と同時に身装品としての装着性に優れた装飾品を得ることができる。
【発明を実施するための最良の形態】
【００２５】
次に本発明を実施するための最良の形態（以下、「実施形態」と略す）を、図１〜図６を用いて説明する。図１は、本発明の第１実施形態における指輪を示し、図１（ａ）は同指輪の側面図、図１（ｂ）は図１（ａ）における宝飾部分の拡大断面図、図２は、本発明の第２実施形態におけるペンダントを示し、図２（ａ）は、同ペンダントの側面図、図２（ｂ）は、図２（ａ）における宝飾部分の拡大Ａ−Ａ断面図、図２（ｃ）は、図２（ｂ）におけるB−B断面図、図３は、本発明の第３実施形態におけるイヤリングを示し、図３（ａ）は同イヤリングの側面図、図３（ｂ）は図３（ａ）における宝飾部分の拡大断面図、図４は、本発明の第４実施形態におけるネックレスを示し、図４（ａ）は同ネックレスの側面図、図４（ｂ）は図４（ａ）における宝飾部分の拡大Ａ−Ａ断面図、図５は、本発明の第５実施形態におけるネクタイピンを示し、図５（ａ）は同ネクタイピンの側面図、図５（ｂ）は図５（ａ）における宝飾部分の拡大図、図６は、本発明に用いる反射型偏光板の機能と構成の説明図で、図６（ａ）は、反射型偏光板基材の光学特性の説明図、図６（ｂ）は、反射型偏光板基材の構成の説明図である。
【００２６】
（第１実施形態）
図１で示した本発明の第１実施形態では、指輪１００の宝飾部材１０１にルビーを用いている。そしてルビーの裏面に、反射型偏光板１０２を設け、また、ルビーと反射型偏光板１０２とは、接着剤１０３を用いて接着している。また、宝飾部材１０１と反射型偏光板１０２を接着剤１０３で接合した宝飾部１１０は、身装部であるリング１２２の頂上に設けた石座１２１に固定される。
【００２７】
図１に示した第１実施形態の宝飾部材１０１であるルビーは、酸化アルミニウム（アルミナ）の結晶であるコランダム（鋼玉）の中でも、特に赤色色調で透明なものだけを言い、貴石の中では硬度、屈折率、比重が突出して高い鉱物の１つである。元来は、天然に産するものであるが、現在は天然ルビーと硬度、屈折率等の物理特性に殆ど差が無い合成ルビーも作れる様になっている。
【００２８】
次に、本第１実施形態は勿論、他の実施形態でも共通して使用し、本発明の主要構成部品になる反射型偏光板１０２について詳細に説明しておく。
【００２９】
全ての光は波の性質をもっている。この光波は、進行方向に対して垂直方向に振動する横波であることが解っている。また、光は電磁波の一種である。そして普通の光（太陽光や電灯からの光）は、色々の方向の振動面をもった数多くの光が集まったものであり、従って、平均としてはどの方向にも同じ強さで振動している。この光を偏光板を通すと、一方向のみに振動する光（直線偏光）が得られる。この機能を有する偏光板の一種に反射型偏光板がある。
【００３０】
反射型偏光板の機能と構成を図６（ａ）、図６（ｂ）を用いて説明する。図６（ａ）は、反射型偏光板基材の光学特性の説明図、図６（ｂ）は、反射型偏光板基材の構成の説明図であり、Ａ部を抜き出し拡大している。反射型偏光板６００は、図６（ｂ）に示す様に、複数の層に積層した積層体から成り、異なる２種の層、即ち、偏光性フィルム層（A層）と、偏光性フィルム層（B層）とを交互に複数層積層された構造を成している。Ａ層は、例えば、ポリエチレンナフタレートで構成したフィルムを延伸したもので、Ｂ層はナフタレンジカルボン酸とテレフタル酸とのコポリエステルで構成している。この反射型偏光板の市販品としては、例えば、住友３Ｍ社製の商品名DBEF−Eがあり、厚みは１６０〜４００μｍに跨っているので用途に応じて適宜選択することが可能である。
【００３１】
この様な構成の反射型偏光板６００を用いると、偏光、即ち、フィルターを掛けて、限られた方向だけに振動する光波にすることが可能になる。即ち、反射型偏光板６００は、図６（ａ）に示す様に、光反射軸Nと、光透過容易軸Mを有し、光透過容易軸Mと平行な振
動面をもつ直線偏光成分の光（第１の光と称する）を透過すると共に、光反射軸Nと平行な振動面をもつ直線偏光成分の光（第２の光と称する）を反射する特性を持っている。このようなことから、反射型偏光板６００に入射する光の約５０％は透過し、約５０％は反射する特性を持つ。
【００３２】
図１に示した本第１実施形態では、この様な反射型偏光板１０２の上面に梨地状の凹凸模様１０２ａを設けてある。梨地状の凹凸模様１０２ａとは、表面の肌合いを砂地状に荒れさせ、果物の梨の表面似た様にすることで、“つやけし”とも呼んでいる。ガーネット粒や金剛砂（ザクロ石の粒）等の硬度の高い粒子を水と混ぜ７０〜８０ｃｍの高さから金属にたらし、表面に細かなキズを付ける方法や、機械（サンドブラスター）を用いて、圧縮空気でガラスビーズや砂粒を金属に吹付ける方法がある。また、用いる砂の粒径によって梨地模様の粗さを選択できる。尚、第１実施形態での梨地状の凹凸模様１０２ａは金型から熱転写方式（ホットプレス方式）で反射型偏光板表面に形成している。
【００３３】
本実施形態では、宝飾部材１０１であるルビーと反射型偏光板１０２との一体化を接着剤１０３で行っている。この接着には透明な接着剤１０３を用いる必要があり、第１実施形態では、アクリル樹脂を用いたが、接着剤１０３はこれに限らず、透明なウレタン樹脂、エポキシ樹脂等でもよい。また、反射型偏光板１０２の上面の梨地状の凹凸模様１０２ａを接着剤１０３で埋めない様にする為、接着箇所は辺縁部のみで行っている。
【００３４】
第１実施形態では、ルビーは石座１２１に固定されている。石座１２１は爪座とも言い、宝石を載せる座のことで、石座１２１にも宝飾品の一部としての装飾性が求められる。本実施例の様な指輪の場合は、ステンレスを基材にＮｉ（ニッケル）とＰｄ（パラジウム）でメッキした物を用いることが多い。一般的にジュエリーに用いられる貴金属としては、プラチナ、金、銀があるが、パラジウムも、銀に近い光沢があり、また、硬さや永続性から、貴金属としての条件を備えている。また、石座には装飾性と光取り込み用に模様や透かしを入れる場合が多い。
【００３５】
以上の構成を成した指輪から次のような効果が得られる。宝飾部材１０１としてルビーを用いていることからルビー独特の赤色調の透き通るような色彩が得られる。更に、ルビーの光透過率が高いことから、ルビーを透過した光の一部は反射型偏光板１０２から反射され、しかも、反射型偏光板１０２の梨地状の凹凸模様１０２ａによって拡散光が反射され、その拡散反射光が再びルビーを透過して観察者側に出射する。このため、ルビーに明るさが現れて赤色調の透き通るような色彩に鮮やかさが現れてくる。
【００３６】
その結果、明るく鮮やかな赤色調の透き通るような色彩が視認されることになってルビーの美しさや綺麗さが一層高められる。また、反射型偏光板１０２からの拡散反射光はルビー全体に放射されるので均一な赤色調の透き通るような色彩が得られる。また、Ｐｄメッキを施した石座１２１の白色系貴金属色調との高いコントラストによってルビーの美しさが一層引き立てられて美的価値観の高い指輪１００が得られる。
【００３７】
尚、反射型偏光板１０２の厚みは１６０〜４００μｍとごく薄くて済むので、底面に接着剤１０３で反射型偏光板１０２を接合したルビーは、反射型偏光板１０２を設けてない従来品と、厚みは余り変らず、リング１２２の頂上に設けた石座１２１の座面に従来品と同様の方法で爪１２１ａにより固定することが可能である。また、本実施形態で設けた梨地の凹凸模様１０２ａの代わりに、求めるデザインに応じて、サークル、渦巻き等を設けることも自由であるが、選択する模様によっては、切削加工、プレス加工等を用いることが必要になる。
【００３８】
また、第１実施形態では、宝飾部材１０１はルビーを用いているが、ルビーに代えて琥
珀やサファイヤ、オパール、ヒスイ等の宝飾部材を用いても良い。琥珀は樹脂の化石とも呼ばれて独特の色彩を持つ。サファイヤとしては青色透明色を示すブルーサファイヤ等が挙げられる。また、オパールは半透明ではあるが虹色のプレイオブカラー（遊色効果）を有するので独特の装飾性が現れる。また、ヒスイは透明度の高いグリーン色をなす。何れも美的効果が高い。
【００３９】
また、上記第１実施形態では、宝飾部材１０１の裏面に反射型偏光板１０２を設けたが、反射板を設けても良いことは言うまでもない。反射板は、一般的に、樹脂板表面に球体から成るガラスビーズが半分程埋設され、更に、その表面にアルミニウム、ニッケル、銀、金等の反射率の高い金属薄膜が設けられたものや、金属板表面にホーニング等の加工手段で凹凸を設け、更に、その表面にアルミニウム、ニッケル、銀、金等の反射率の高い金属薄膜が設けられたものなどがある。この様な反射板を宝飾部材１０１の裏面に設けた場合、
反射板の高い反射率の反射光の作用を受けて宝飾部材が非常に明るくなる。特に、宝飾部材をよりキラキラ輝かせることが出来、宝飾部材自体の美的効果をより一層高めることができ、装飾品の装飾性が一層高められ高級感が更に向上する。
【００４０】
（第２実施形態）
次に、図２を用いながら本発明の第２実施形態を説明する。図２（ａ）に示した本発明の第２実施形態の装飾品はペンダントである。第２実施形態の宝飾品であるペンダント２００の主要部を成す宝飾部材２０１には琥珀を用いている。そして琥珀の裏面に、金箔から成る第１の装飾部材２０４（後述する第４実施形態でも装飾部材を用いるので、ここでは、それと区別する必要上、第１の装飾部材と称する）が、更にその下に凹凸模様２０２ａを施した反射型偏光板２０２が設けてある。そして、琥珀と反射型偏光板２０２とは、第１の装飾部材２０４を挟んで接着され一体化している。また、金箔と反射型偏光板２０２とを裏面に接合した琥珀は爪２２１ａによって石座２２１に固定され、該石座２２１は身装部であるチェーン２２２に設けた丸カン２２２ａに装着されている。
【００４１】
本第２実施形態の宝飾部材２０１である琥珀は、松脂等の樹脂が長い年月を経て化石化したものであり、黄色のものが多いが、茶色、赤色、白色、青色、緑色もある。天然の琥珀は、スライス等の加工を施すと割れが発生し易い為、天然の琥珀を使用する場合は、厚めにスライスしてから、研磨量を多くとって仕上げる必要がある。従って、研磨による仕上加工時間が長く掛かり、コスト的に高くなるので、プレスアンバー材を使用して、人工的に琥珀を形成する場合がある。プレスアンバー材は、粉末にした琥珀を成形型に充填して加圧・加熱して所要の形状に成形したもので、見た目では天然の琥珀から形成した物と著しい差は無く、色調と光沢などの面で天然の琥珀と同等の品質が得られる。この琥珀から成る宝飾部材２０１は、その表面をバフやラッピング等の方法に依って研磨して、鏡面仕上げを施している。琥珀は、本来、光透過性を有するので、黄色等の琥珀色がはっきり見え、且つ、裏面側に設けた金箔から成る第１の装飾部材２０４の色彩や、模様、更には、反射型偏光板２０２に施した凹凸模様２０２ａも見える様に、厚みを考慮して、且つ、透過性の高い物を使用している。
【００４２】
第２実施形態では、図２（ｂ）、図２（ｃ）で示した様に、宝飾部材２０１である琥珀の裏面に第１の装飾部材２０４である金箔を設けている。金箔は、純金に微量の銀、銅を加えて合金として０．１μmの厚みまで伸ばした箔である。金箔は厚みが０．１μｍ位の時、約５５％の光透過性がある。
【００４３】
第２実施形態で用いる反射型偏光板２０２の機能と構成に関しては、第１実施形態の中で図６（ａ）、図６（ｂ）を用いて既に詳細に説明したので、ここでの説明は省略する。
【００４４】
反射型偏光板２０２の厚みは、市販品にある１６０〜４００μｍの中から選択すれば良い。また本第２実施形態では、反射型偏光板２０２の上面側に図２（ｃ）で示した様な放射目状の凹凸模様２０２ａを追加工してある。この放射目状の凹凸模様２０２ａは線幅が約４０〜６０μｍ、深さは１０〜２０μｍ位が適しており、ワイヤーブラシと目付装置を用いることで加工できる。反射型偏光板２０２に放射目状の凹凸模様２０２ａを設けることにより放射目模様が視認されるようになると共に拡散反射光が得られる。また、宝飾部材２０１である琥珀と反射型偏光板２０２を、金箔である第１の装飾部材２０４を挟んで接着するには、辺縁部を透明なアクリル樹脂、ウレタン樹脂、エポキシ樹脂等から成る接着剤２０３を用いて行う。また、宝飾部２１０を載せる石座２２１は、第１実施形態と同様に装飾性と光取り込み用に模様や透かしを入れ、材質はステンレスを基材にＮｉ（ニッケル）とＰｄ（パラジウム）でメッキした物を用いている。
【００４５】
以上の構成を成したペンダント２００からは次のような効果が得られる。本第２実施形態では、ペンダント２００の宝飾部材２０１として琥珀を用いているが、この琥珀の表面は上面側面に丸みがついた鏡面仕上げになっていて、光沢のある滑らかな表面に明るく鮮やかな琥珀独特の美しさが現れ、又、下面側に設けた第１の装飾部材である金箔により、琥珀の色彩の中に金箔色彩と放射目模様が得られる。また、金箔を透過した光は反射型偏光板に入射し、そして、反射型偏光板２０２からの拡散反射光が再び金箔と琥珀を透過して観察者側に放射される。
【００４６】
その結果、金箔色彩や放射目模様に鮮やかさを伴った中に明るく鮮やかな琥珀色彩が強く現れる。そして、綺麗で、しかも、色彩が豊かで装飾性が一層高められたペンダントが得られる。
【００４７】
尚、本第２実施形態では、第１装飾部材２０４の金箔は面状にしたものを用いたが、金箔に代えて、或いは混在する形で銀箔を用いても良いし、また、貝、ラメ、マニキュア、ホログラム等を用いることも可能である。貝としては、アワビ貝や白蝶貝、あこや貝等が適している。貝を用いた場合は、貝独特の光輝色彩が現れ、また、ラメは、金属酸化物から成る砂状の装飾物であり、ラメを用いた場合は、キラキラとした金色、銀色色調の輝きが得られる。マニキュアはネイルカラーとも言われ、爪の装飾に良く用いられ、色々の種類がある。また、マニキュアは各種の色彩を持った多くの種類があり、色々なカラー模様や光輝模様を容易に出現させることができる。また、ホログラムは３次元像を記録したフィルムで、最近は、お札等でも用いられ、光が当たると見る方向によって異なった３次元模様が浮かんで立体的に見える装飾物である。これらの種々の装飾部材を用いることで、それぞれ独特の美的効果を得る事ができると共に、装飾バリエーションを広げることができる。尚、第１の装飾部材２０４は全面でなく、部分的に、ランダムに、琥珀の裏面側に透明な接着剤で接着配置すれば、また新たな美的効果を得ることもできる。
【００４８】
（第３実施形態）
次に、本発明の第３実施形態に係る装飾品について図３を用いて説明する。第３実施形態の装飾品はイヤリングである。イヤリング３００の宝飾部材３０１には琥珀を用いている。そして、卵型を中心線で縦に２分割した様な半卵型の２個の琥珀の間に反射型偏光板３０２を挟みながら透明な接着剤３０３で接着して一体化している。また、反射型偏光板３０２を間に挟んで一体化した宝飾部３１０は石座３２１に固定され、該石座３２１から延びたアームが、身装部分となるＵ字体３２２に設けた丸カン３２２ａに嵌合している。
【００４９】
第２実施形態でも説明した様に、本第３実施形態の宝飾部材３０１である琥珀は、松脂等の樹脂が長い年月を経て化石化したもので、黄色の物が多いが、茶色、赤色、白色、青色、緑色の琥珀も存在する。また、天然琥珀は、加工時に割れが発生し易く、従って、厚めにスライスしておいて、研磨量を多くとりながら加工する必要があり、どうしてもコス
ト的に高くなるので、粉末にした琥珀を成形型に充填して、加圧・加熱して所要の形状に成形したプレスアンバー材を用いる場合もある。プレスアンバー材を用いる琥珀は、見た目では天然の琥珀から形成した物と著しい差は無く、色調と光沢などの面で天然の琥珀と同等の品質が得られる。この琥珀から成る本実施形態の宝飾部材３０１は、その表面をバフやラッピング等の方法に依って研磨して、鏡面仕上げを施しておく。
【００５０】
図３（ｂ）で示した様に、第３実施形態では宝飾部材３０１である琥珀の間に反射型偏光板３０２を設けているが、反射型偏光板３０２の構成と機能は、第１実施形態の中で、図６（ａ）、図６（ｂ）を用いながら既に詳細に説明したので、ここでの説明は省略する。尚、反射型偏光板３０２は第２実施形態と同様に市販品を用い、その厚みは１６０〜４００μｍである。
【００５１】
図３（ｂ）で示した様に、第３実施形態用いる反射型偏光板３０２には、その両面に梨地の凹凸模様３０２ａを設けている。この梨地状の凹凸模様３０２ａの形成方法は前述の第１実施形態で述べた通りであるのでここでの説明は省略する。
【００５２】
また、宝飾部材３０１である琥珀と反射型偏光板３０２の一体化には、アクリル樹脂、ウレタン樹脂、エポキシ樹脂の何れかから成る透明の接着剤３０３を用いた。また、宝飾部３１０を載せる石座３２１はステンレスを基材にＮｉ（ニッケル）とＲｈ（ロジウム）でメッキした物を用いた。
【００５３】
以上の構成をなしたイヤリングから次のような効果が得られる。第３実施形態ではイヤリング３００の宝飾部材３０１として一対の琥珀を用いているが、表面は丸みがついて緩やかな球面状に仕上げており、外周部はＲ付等で曲面状に仕上げてあり、又、この琥珀の表面は鏡面仕上げになっているので、琥珀の持つ琥珀色彩が光沢をもって綺麗に見える。更に、一対の琥珀の内の一方側の琥珀を透過した光の一部は宝飾部３１０の中央部に設け表面に梨地状の凹凸模様３０２ａを施した反射型偏光板３０２により反射され、その拡散反射光が再び一方側の琥珀を透過する。このため、一方側の琥珀は明るく鮮やかな琥珀色彩が現れる。また、一方側の琥珀を透過した光の一部は反射型偏光板３０２を透過して他方側の琥珀に入射する。このとき、反射型偏光板３０２の表面の凹凸模様３０２ａの作用を受けて拡散光となって他方側の琥珀を透過する。このため、他方側の琥珀にも明るく鮮やかな琥珀色彩が現れる。これは、外部から他方側の琥珀に入射する光も同じ状態が起きる。
【００５４】
このため、一対の琥珀の片側から光が入射した場合でも両側の琥珀にその琥珀色彩が鮮やかに現れる。第３実施形態においては、宝飾部材３０１に琥珀を用いたが、オパールやサファイヤ、ヒスイ、ルビーなどの他の宝飾部材を用いても同様な効果を生む。また、Ｒｈメッキを施した石座３２１やＵ字体３２２の白色調の貴金属色調と琥珀の色彩とのコントラストが高められて琥珀の宝飾部材３０１が目立って視認されるようになる。
【００５５】
（第４実施形態）
次に、本発明の第４実施形態に係る装飾品について図４を用いて説明する。第４実施形態の装飾品はネックレスである。また、ネックレス４００に用いている宝飾部材４０１は琥珀を用いている。そして、琥珀の上表面には、第２の装飾部材４０４である蒔絵が、裏面には、表面にサークル状の凹凸模様４０２ａを設けた反射型偏光板４０２設けている。そして、琥珀と反射型偏光板４０２とは、その端面で透明な接着剤４０３で接着して一体化している。また、装飾部材４０４と反射型偏光板４０２とを一体化した宝飾部４１０は石座４２１の爪４２１ａで固定されている。石座４２１は石座４２１から延びたアームが身装部を成すチェーン４２２に設けた丸カン４２２ａに装着されている。
【００５６】
本第４実施形態の宝飾部材４０１である琥珀の素材自体については、第２実施形態と第３実施形態で既に説明している通りであり、ここでの説明は省略する。尚、本実施形態でも、琥珀表面をバフやラッピング等の方法に依って研磨して、鏡面仕上げし、また、琥珀色がハッキリ見える様に、厚みを考慮しながら透過性の高い物を使用している。
【００５７】
第４実施形態で用いる反射型偏光板４０２は表面にサークル状の凹凸模様４０２ａを設けている。凹凸模様４０２ａの凹凸は略半円形の凸形状を成しており、線幅が約４０〜６０μｍ、高さが１０〜２０μｍ位の範囲で、サークル状に設けてある。このサークル状の凹凸模様４０２ａは金型からの熱転写方式（ホットプレス方法）で形成している。このような形状の凹凸模様を形成すると反射型偏光板４０２からの反射光は四方八方に拡散する。
【００５８】
本第４実施形態では、第２の装飾部材４０４として、宝飾部材４０１である琥珀の表面に蒔絵を描いている。蒔絵とは、液状の漆を筆に付けて文様を描き、漆が乾燥して固化する前に金や銀の粉を振りかけてから仕上げる日本古来の加飾技法である。
【００５９】
また、宝飾部４１０を載せる座である石座４２１には、ステンレスを基材にＮｉ（ニッケル）とＰｄ（パラジウム）でメッキした物を用いている。
【００６０】
以上の構成を成したネックレスにおいては次のような効果が得られる。ネックレス４００の宝飾部材４０１として琥珀を用いているが、この琥珀の表面は鏡面仕上げになっていて、琥珀色が光沢をもって綺麗に見える。また、上面は緩やかな球面状に仕上がっており、外周部はＲ付け等によって曲面状に仕上げてあるので光沢のある滑らかな表面が得られ、琥珀独特の美しい色彩が現れる。又、琥珀の表面に設けた第２の装飾部材４０４である蒔絵は絵柄も自由であり、この蒔絵の金粉や銀粉で飾られた色彩や紋様が琥珀の表面に美しく視認さる。
【００６１】
更に、琥珀を透過した光の一部は反射型偏光板４０２で反射される。反射型偏光板４０２のサークル状の凹凸模様４０２ａによって拡散反射光が放射されて再び琥珀に入射して観察者側に放射される。このことによって、琥珀や蒔絵に明るさが現れて、琥珀の色彩や蒔絵の紋様色彩に鮮やかさが現れてくる。そして、美しく綺麗な色彩で飾られたネックレスが得られる。伝統的な工芸技術も付加された装飾品が得られ、また、美的価値観も高められる。
【００６２】
しかしながら、第２の装飾部材４０４は蒔絵に限るものではなく、他の装飾部材を設けても良いものである。例えば、漆面に貝を貼付けて研ぎを行った螺鈿も蒔絵と同様に伝統工芸的な美的感が得られる。また、琥珀の表面を彫り込んで金属や大理石、貝甲類などをはめ込んで形成した木像嵌や金箔、銀箔、ラメ、マニキュア、ホログラム等も第２の装飾部材として好適に挙げることができる。
【００６３】
（第５実施形態）
次に、本発明の第５実施形態に係る装飾品について図５を用いて説明する。第５実施形態の装飾品はネクタイピンを示している。ネクタイピン５００の宝飾部材５０１には琥珀を用いている。また、宝飾部材５０１である琥珀の裏面に貝からなる第１の装飾部材５０４を設け、更にその下に白色色調の印刷層５０２が設けてある。そして、琥珀と第１の装飾部５０４とは、第１の装飾部５０４を介して透明な接着剤５０３によって接着され一体化している。また、印刷層５０２と第１の装飾部材５０４と宝飾部材５０１を一体化した宝飾部５１０は、身装部であるクリップ５２２の一部を成す石座５２１に接着剤によって固定している。
【００６４】
本第５実施形態の宝飾部材５０１である琥珀の素材自体については、第２実施形態と第３実施形態で既に説明している通りであり、ここでの説明は省略する。尚、本実施形態でも、琥珀表面をバフやラッピング等の方法に依って研磨して、鏡面仕上げし、また、琥珀色がハッキリ見える様に、厚みを考慮しながら透過性の高い物を使用している。
【００６５】
第５実施形態では、図５（ｂ）で示した様に、宝飾部材５０１である琥珀の下面に第１の装飾部材５０４が設けられ、この第１の装飾部材５０４には貝を用いている。貝にはアワビ貝、白蝶貝、あこや貝などの白色系色彩を成す貝が好適に利用できる。本実施形態では、この貝を薄くスライスして光透過性を高めながら装飾部材として用いている。
【００６６】
第５実施形態では、宝飾部材５０１である琥珀と、第１の装飾部材５０４である貝の接着にはアクリル樹脂、ウレタン樹脂、エポキシ樹脂等の透明な接着剤５０３を用いている。尚、宝飾部５１０とクリップ５２２に設けた石座５２１との接着にも同じ接着剤を用いている。
【００６７】
以上の構成を成したネクタイピンについての効果を説明する。ネクタイピンの宝飾部材として琥珀を用いているが、この琥珀の表面は鏡面仕上げになって、琥珀色彩が光沢をもって綺麗に見え、又、琥珀の下面側に設けた第１の装飾部材である貝の光輝色彩や模様が視認されてくる。また、琥珀の上面は緩やかな半円柱状で、外周部はＲ付けによって曲面状に仕上げてあるので光沢のある滑らかな表面に琥珀の美しさが現れてくる。
【００６８】
また、琥珀、及び貝を透過した光の一部は白色色調の印刷層５０２で反射され、反射された光は、再び、貝および琥珀を透過して観察者側に放射される。また、白色系の色彩を持つ貝からの反射光も琥珀を透過して放射される。このため、琥珀や貝に明るさが現れて琥珀の色彩や貝の紋様色彩に鮮やかさが現れてくる。そして、装飾性の高い高級感のするネクタイピンとして視認される。
【００６９】
また、上記実施例において、貝の裏面に白色色調の印刷層５０２を設けたが、これに限られるものではなく、宝飾部材５０１の種類、宝飾部材５０１の色、模様等により、赤色色調、青色色調、緑色色調、黄色色調、ピンク色色調、オレンジ色色調等を使いわけることにより、装飾品のデザインバリエーションの拡大や、装飾性の向上を図ることができる。
【００７０】
尚、本第５実施形態では、第１の装飾部材５０４として貝を用いる場合を説明したが、貝の代わりに、金箔、銀箔を用いても良いし、また、ラメ、マニキュア、ホログラム等を用いることも可能である。これらの装飾部材の特徴は前述の第２実施形態で既に述べた通りである。これらの種々の装飾部材を装飾部材層に適宜用いることで、それぞれが持つ独特の美的効果を宝飾部材である琥珀の美しさに加え、バリエーションを楽しむことができる。
【００７１】
人類は古くから、身飾品に関心を抱き続けてきた。身装品の装飾性は、当初は、もっぱら素材のもつ美的要素に頼ってきたが、文明が進歩するに伴い、同じ素材でも、加工方法を工夫することで、高級感や、装飾性を高めることに工夫が凝らされてきた。例えば、一般的に宝石は原石のままでも美しいが、カットされることでより輝きを増す。宝石の代表格であるダイヤモンドは、その原石自体は、硬度が特別に高いというだけで、審美的には磨りガラス状であり、ルビー等の、それ自体が美しいカラーストーンに劣っていたので、１７世紀以前はルビーの方が高価であったという歴史的事実がある程である。現在、ダイヤモンドが美しいのは、カット技術が進歩して、光をはね返す反射光と、プリズムの様に光を分散させる虹彩と、光のフラッシュ効果によって神秘的な美しさを出せるようになったからである。また、宇宙開発で開発された新技術が、民生品で使用され、一般庶民が恩
恵を被る様に、或る特異な産業分野で開発された新技術が、異種産業に応用され展開されることは多い。本発明は、液晶表示装置で用いられた反射型偏光板や反射板を宝飾品に用いることや、宝飾部材に第１の装飾部材や第２の装飾部材を設けたことにより、宝飾品が本来有していた装飾性をより高めたものである。
【００７２】
以上、本発明の装飾品は身飾品を中心に説明してきたが、本発明の装飾品はアクセサリーや、香水容器、置物等の装飾品にも同様に適用できるものである。
【図面の簡単な説明】
【００７３】
【図１】本発明の第１実施形態における指輪を示し、図１（ａ）は同指輪の側面図、図１（ｂ）は図１（ａ）における宝飾部分の拡大断面図である。
【図２】本発明の第２実施形態におけるペンダントを示し、図２（ａ）は、同ペンダントの側面図、図２（ｂ）は、図２（ａ）における宝飾部分の拡大Ａ−Ａ断面図、図２（ｃ）は、図２（ｂ）におけるB−B断面図である。
【図３】本発明の第３実施形態におけるイヤリングを示し、図３（ａ）は同イヤリングの側面図、図３（ｂ）は図３（ａ）における宝飾部分の拡大断面図である。
【図４】本発明の第４実施形態におけるネックレスを示し、図４（ａ）は同ネックレスの側面図、図４（ｂ）は図４（ａ）における宝飾部分の拡大Ａ−Ａ断面図である。
【図５】本発明の第５実施形態におけるネクタイピンを示し、図５（ａ）は同ネクタイピンの側面図、図５（ｂ）は図５（ａ）における宝飾部分の拡大図である。
【図６】本発明に用いる反射型偏光板の機能と構成の説明図で、図６（ａ）は、反射型偏光板基材の光学特性の説明図、図６（ｂ）は、反射型偏光板基材の構成の説明図である。
【図７】背景技術における装飾品であり、図７（ａ）は特許文献１で開示された虹彩効果を生じる透明体１の斜視図、図７（ｂ）は図７（ａ）の透明体に用いた平面体の断面図、図７（ｃ）は図７（ａ）の透明体に用いた保護カバーの断面図、図７（ｄ）は図７（ａ）の透明体装飾品の全体断面図、図７（ｅ）は、特許文献１で開示された従来の加工方法により製作した透明装飾品の斜視図である。
【符号の説明】
【００７４】
１０１、２０１、３０１、４０１、５０１      宝飾部材
１０２、２０２、３０２、４０２、６００      反射型偏光板
１０２ａ、２０２ａ、３０２ａ、４０２ａ      凹凸模様
１２１、２２１、３２１、４２１、５２１      石座
２０４、５０４      第１の装飾部材
４０４      第２の装飾部材
５０２      印刷層
１０３、２０３、３０３、４０３、５０３      接着剤
【図１】
2008125876.tif 000003
【図２】
2008125876.tif 000004
【図３】
2008125876.tif 000005
【図４】
2008125876.tif 000006
【図５】
2008125876.tif 000007
【図６】
2008125876.tif 000008
【図７】
2008125876.tif 000009